(57)【特許請求の範囲】
【請求項１】
撮影ブース内のユーザを撮影する撮影手段と、撮影した画像を表示する表示手段と、前記表示手段に表示された撮影画像に対して、領域を設定するための位置の指定入力をする入力手段と、前記入力手段からの位置の指定入力を受け付ける受付手段と、前記受付手段が前記入力手段からの位置の指定入力を受け付ける受付領域内に、前記撮影画像が表示される画像表示領域と前記撮影画像が表示されない非表示領域とが形成されるよう、前記撮影画像を前記受付領域よりも小さく表示する制御手段とを備え、
前記入力手段からの位置の指定入力が前記画像表示領域から前記非表示領域にはみ出して行われた場合であっても、前記非表示領域にはみ出した位置の指定入力を前記受付手段は受け付け、前記入力手段からの位置の指定入力が前記非表示領域から前記画像表示領域に及んで行われた場合であっても、前記画像表示領域に及んだ位置の指定入力を前記受付手段は受け付けることを特徴とする写真撮影装置。
【請求項２】
前記受付手段が前記入力手段からの位置の指定入力を受け付ける場合に、前記制御手段は、前記撮影画像を前記受付領域と同じ大きさに表示した状態から前記撮影画像を前記受付領域よりも小さく表示した状態に変更する、請求項１記載の写真撮影装置。
【請求項３】
前記非表示領域は前記画像表示領域の周囲に形成されることを特徴とする請求項１または２記載の写真撮影装置。
【請求項４】
前記入力手段による位置の指定入力に基づいて領域を設定する領域設定手段と、前記領域設定手段で設定された領域のうち前記画像表示領域と重なる領域を判定する判定手段と、前記判定手段により判定された領域に画像を描画する描画手段とを有することを特徴とする請求項１〜３の何れかに記載の写真撮影装置。
【請求項５】
前記受付手段は、前記受付領域の外側においてされる位置の指定入力をも受け付けることを特徴とする請求項１〜４の何れかに記載の写真撮影装置。
【請求項６】
撮影ブース内のユーザを撮影するステップと、撮影した画像を表示するステップと、前記表示した撮影画像に対して、領域を設定するための位置の指定入力をする入力ステップと、前記入力ステップにおける位置の指定入力を受け付ける受付ステップと、前記入力ステップにおける位置の指定入力を受け付け可能な受付領域内に、前記撮影画像が表示される画像表示領域と前記撮影画像が表示されない非表示領域とが形成されるよう、前記撮影画像を前記受付領域よりも小さく表示するステップとを備え、
前記入力ステップにおける位置の指定入力が前記画像表示領域から前記非表示領域にはみ出して行われた場合であっても、前記非表示領域にはみ出した位置の指定入力を前記受付ステップにおいて受け付け、前記入力ステップにおける位置の指定入力が前記非表示領域から前記画像表示領域に及んで行われた場合であっても、前記画像表示領域に及んだ位置の指定入力を前記受付ステップにおいて受け付けることを特徴とする写真撮影装置の制御方法。
【請求項７】
撮影ブース内のユーザを撮影するステップと、撮影した画像を表示するステップと、前記表示した撮影画像に対して、領域を設定するための位置の指定入力をする入力ステップと、前記入力ステップにおける位置の指定入力を受け付ける受付ステップと、前記入力ステップにおける位置の指定入力を受け付け可能な受付領域内に、前記撮影画像が表示される画像表示領域と前記撮影画像が表示されない非表示領域とが形成されるよう、前記撮影画像を前記受付領域よりも小さく表示するステップとをコンピュータに実行させ、
前記入力ステップにおける位置の指定入力が前記画像表示領域から前記非表示領域にはみ出して行われた場合であっても、前記非表示領域にはみ出した位置の指定入力を前記受付ステップにおいて受け付け、前記入力ステップにおける位置の指定入力が前記非表示領域から前記画像表示領域に及んで行われた場合であっても、前記画像表示領域に及んだ位置の指定入力を前記受付ステップにおいて受け付けるように、コンピュータに実行させることを特徴とする、写真撮影装置の制御プログラム。
【発明の詳細な説明】
【技術分野】
【０００１】
本発明は、撮影ブース内の被写体を撮影する写真撮影装置、写真撮影装置の制御方法および写真撮影装置の制御プログラムに関する。
【背景技術】
【０００２】
アミューズメント施設等に設置され、設けられた撮影ブース内において被写体（ユーザ）を自動的に撮影し、この撮影画像と、編集ブースにおいて付属のタッチペンによりユーザから入力される文字や図形、およびあらかじめ記憶されているスタンプ画像、フレーム画像、背景画像からなる編集画像とを合成して印刷用画像を作成し、この印刷用画像をシール等の印刷媒体に印刷して提供する写真撮影装置があることは広く知られている。
【０００３】
このような編集画像の入力、いわゆる落書きは、編集ブースに設けられたタブレットディスプレイに表示される撮影画像に対してタッチペンにより行われ、タッチペンにより画像を入力する際には、ペン、スタンプなどの落書きの機能をあらかじめ選択したうえで、表示されている撮影画像上をタッチペンでタッチすることで、入力しようとする編集画像が撮影画像上に表示される。これにより、ユーザは撮影画像上に表示される編集画像を目視しながら、この編集画像を撮影画像に対してどの位置に配置するかを決定することができる。
【０００４】
また、近年の写真撮影装置においては、上記のような落書きにおいて、表示されている撮影画像に領域が設定され、この領域として設定された範囲内に所定の図柄を書き込むなどの処理が施されるものがある。
【０００５】
例えば特許文献１には、表示された撮影画像に対してあらかじめ所定の範囲の領域が設定されて、この領域内では落書きを受け付けないといった処理が施されていることが記載されている。
【０００６】
このように、ユーザから単なる文字や図形の入力を受け付けるだけでなく、領域を設定し、この領域内で特定の編集入力を許容あるいは禁止することでユーザが上記の落書きをより効率的に、かつ、簡単に行うことができるようにされている。
【特許文献１】特開２００２−１８５８９２号公報
【発明の開示】
【発明が解決しようとする課題】
【０００７】
従来の写真撮影装置においては、表示されている撮影画像に対して落書きをする際に、
ペン、スタンプなどの落書きの機能をあらかじめ選択したうえで、表示されている撮影画像上をタッチペンでタッチする必要があり、例えば、撮影したユーザの顔が撮影画像の枠に近く、ユーザがこの顔を囲むようにペン画像の入力をしたい場合、ユーザは、タッチペンのペン先を、ユーザの顔と撮影画像の枠とが接する位置に合わせる必要がある。このような微妙な位置にペン先を合わせることは非常に難しく、慎重な操作を要するため、ペン先がふらつきがちになり、ペン先を合わせてみたものの思った位置ではない場合が多くなる。このような場合には、ペン先を合わせた位置に点のような僅かなペン画像が描画されるため、ユーザは、この画像を消去する操作をわざわざ行う必要があり、落書きに余計な時間を費やしてしまう。
【０００８】
また、このような微妙な位置にペン先を合わせることができても、その位置を始点として描かれるペン画像は、ユーザが撮影画像の中央などの任意の点を始点として描くペン画像よりも歪んで描かれることが多く、ユーザにとっては思い通りの描画をすることが難しい。このようにペン画像が歪んで描かれた場合、ユーザによってはこのペン画像を書き直すことも少なくなく、落書きにさらに余計な時間が費やされてしまう。
【０００９】
また、上記のペン先を微妙な位置に合わせるときに発生する問題は、タッチペンにより撮影画像の端のほうで領域を設定する場合にも同様のことが言える。これに対し、領域の設定方法としては、特許文献１に開示されているように、あらかじめ領域を設定する方法もあるが、これではユーザが任意の箇所に任意の領域を設定することができないので、落書きの際における塗りつぶしや所定の図柄を書き込むための領域の設定方法としては好適でない。
【００１０】
そこで本発明はこのような問題を解決して、撮影画像に対して編集画像の入力する、いわゆる落書きをする際に、撮影画像の枠の近傍においても、タッチペンなどの入力手段による入力を簡単かつ思い通りに行えるようにすることを目的とする。
【課題を解決するための手段】
【００１１】
上記課題を解決するために請求項１記載の発明は、撮影ブース内のユーザを撮影する撮影手段と、撮影した画像を表示する表示手段と、前記表示手段に表示された撮影画像に対して、領域を設定するための位置の指定入力をする入力手段と、前記入力手段からの位置の指定入力を受け付ける受付手段と、前記受付手段が前記入力手段からの位置の指定入力を受け付ける受付領域内に、前記撮影画像が表示される画像表示領域と前記撮影画像が表示されない非表示領域とが形成されるよう、前記撮影画像を前記受付領域よりも小さく表示する制御手段とを備え、前記入力手段からの位置の指定入力が前記画像表示領域から前記非表示領域にはみ出して行われた場合であっても、前記非表示領域にはみ出した位置の指定入力を前記受付手段は受け付け、前記入力手段からの位置の指定入力が前記非表示領域から前記画像表示領域に及んで行われた場合であっても、前記画像表示領域に及んだ位置の指定入力を前記受付手段は受け付けるものである。
請求項２記載の発明は、前記受付手段が前記入力手段からの位置の指定入力を受け付ける場合に、前記制御手段は、前記撮影画像を前記受付領域と同じ大きさに表示した状態から前記撮影画像を前記受付領域よりも小さく表示した状態に変更するものである。
【００１２】
このような構成によると、ユーザは、撮影画像が表示されていない非表示領域から撮影画像が表示されている画像表示領域に向けて入力手段による編集情報の入力を行うことができるので、例えば撮影したユーザの顔が撮影画像の枠に近く、ユーザがこの顔を囲むようにペン画像の入力をしたい場合であっても、ユーザは、ユーザの顔と撮影画像の枠とが接する位置に入力手段を合わせる必要がない。したがって、ユーザは、入力手段を慎重に操作するといったことから開放されるので、思い通りの入力を簡単に行うことができ、編集情報の入力を円滑に行うことができる。また、入力操作の開始位置を非表示領域内とすることができるので、この入力手段の操作が非表示領域から画像表示領域に及んだ際には、この画像表示領域内での入力手段の操作は、力の抜けたごく自然な動きによりなされ、したがって、ユーザは画像表示領域内においては思い通りに入力手段を操作することができる。また、逆に、撮影画像が表示されている画像表示領域よりも外側にはみ出して入力手段を操作した場合であっても、その入力手段の操作が非表示領域内で行われているのであれば、この非表示領域は受付領域内であるので、前記はみ出した入力操作も受け付けられ、したがって、ユーザは、表示されている撮影画像の端のほうにおいて、入力手段の操作を慎重に行う必要が無く、編集情報の入力操作を確実かつスムーズに行うことができる。
【００１３】
請求項３記載の発明は、請求項１または２記載の写真撮影装置において、前記非表示領域は前記画像表示領域の周囲に形成されるものである。
【００１４】
このような構成によると、入力手段による編集情報の入力を、非表示領域から撮影画像が表示されている画像表示領域に向けて行うことができるので、ユーザは、表示されている撮影画像の端のほうにおいて、入力手段の操作を慎重に行う必要が無く、編集情報の入力操作を容易かつスムーズに行うことができる。
【００１７】
請求項４記載の発明は、請求項１〜３の何れかに記載の写真撮影装置において、前記入力手段による位置の指定入力に基づいて領域を設定する領域設定手段と、前記領域設定手段で設定された領域のうち前記画像表示領域と重なる領域を判定する判定手段と、前記判定手段により判定された領域に画像を描画する描画手段とを有するものである。
【００１８】
このような構成によると、入力手段による位置の指定入力が、表示されている撮影画像よりも外側であっても非表示領域内で行われているのであれば、領域設定手段は、指定入力に基づいて領域を設定することができるので、ユーザは、表示されている撮影画像の端のほうにおいても容易かつ確実に領域の設定を行うことができる。さらに、領域設定手段で設定された領域のうち画像表示領域と重なる領域を判定手段により判定し、描画手段により、この判定された領域に画像を描画することができるので、ユーザは、任意の箇所に任意の領域設定をしてその領域に画像を描画することができる。
【００２１】
請求項５記載の発明は、請求項１〜４の何れかに記載の写真撮影装置において、前記受付手段は、前記受付領域の外側においてされる位置の指定入力をも受け付けるものである。
【００２２】
このような構成によると、入力手段による編集情報の入力操作を受付領域の外側から画像表示領域に向けて行うことができ、ユーザは、入力手段を慎重に操作せずとも、思い通りの入力を簡単に行うことができる。また、逆に、非表示領域よりも外側にはみ出して入力手段を操作した場合であっても、受付手段が、受付領域の外側においてされる編集情報の入力をも受け付けるので、ユーザは、入力手段を慎重に操作せずとも、思い通りの入力を簡単に行うことができる。
【００２３】
請求項６記載の発明は、撮影ブース内のユーザを撮影するステップと、撮影した画像を表示するステップと、前記表示した撮影画像に対して、領域を設定するための位置の指定入力をする入力ステップと、前記入力ステップにおける位置の指定入力を受け付ける受付ステップと、前記入力ステップにおける位置の指定入力を受け付け可能な受付領域内に、前記撮影画像が表示される画像表示領域と前記撮影画像が表示されない非表示領域とが形成されるよう、前記撮影画像を前記受付領域よりも小さく表示するステップとを備え、前記入力ステップにおける位置の指定入力が前記画像表示領域から前記非表示領域にはみ出して行われた場合であっても、前記非表示領域にはみ出した位置の指定入力を前記受付ステップにおいて受け付け、前記入力ステップにおける位置の指定入力が前記非表示領域から前記画像表示領域に及んで行われた場合であっても、前記画像表示領域に及んだ位置の指定入力を前記受付ステップにおいて受け付けるものである。
【００２４】
このようにすると、ユーザが、表示されている撮影画像よりも外側にはみ出して入力操作をした場合であっても、その入力が非表示領域内で行われているのであれば、この非表示領域は、入力を受け付け可能な受付領域内であるので、前記はみ出した入力操作も受け付けられる。したがって、ユーザは、表示されている撮影画像の端のほうにおいて、入力操作を慎重に行う必要が無く、編集情報の入力操作を容易かつスムーズに行うことができる。
【００２５】
請求項７記載の発明は、撮影ブース内のユーザを撮影するステップと、撮影した画像を表示するステップと、前記表示した撮影画像に対して、領域を設定するための位置の指定入力をする入力ステップと、前記入力ステップにおける位置の指定入力を受け付ける受付ステップと、前記入力ステップにおける位置の指定入力を受け付け可能な受付領域内に、前記撮影画像が表示される画像表示領域と前記撮影画像が表示されない非表示領域とが形成されるよう、前記撮影画像を前記受付領域よりも小さく表示するステップとをコンピュータに実行させ、前記入力ステップにおける位置の指定入力が前記画像表示領域から前記非表示領域にはみ出して行われた場合であっても、前記非表示領域にはみ出した位置の指定入力を前記受付ステップにおいて受け付け、前記入力ステップにおける位置の指定入力が前記非表示領域から前記画像表示領域に及んで行われた場合であっても、前記画像表示領域に及んだ位置の指定入力を前記受付ステップにおいて受け付けるように、コンピュータに実行させるためのものである。
【００２６】
これによると、ユーザが、表示されている撮影画像よりも外側にはみ出して入力操作をした場合であっても、その入力が非表示領域内で行われているのであれば、この非表示領域は、入力を受け付け可能な受付領域内であるので、前記はみ出した入力操作も受け付けられる。したがって、ユーザは、表示されている撮影画像の端のほうにおいて、入力操作を慎重に行う必要が無く、編集情報の入力操作を容易かつスムーズに行うことができる。
【発明の効果】
【００２７】
以上のように本発明によれば、撮影画像に対して編集画像の入力する、いわゆる落書きをする際に、撮影画像の枠の近傍においても、タッチペンなどの入力手段による入力を簡単かつ思い通りに行うことができる。
【発明を実施するための最良の形態】
【００２８】
本発明の実施の形態を、図１〜図１４を参照しながら説明する。
【００２９】
まず、本発明の実施の形態の写真撮影装置１の外観構成から説明する。図１は写真撮影装置１を示す側面図、図２は図１に示した編集側筐体８の斜視図である。
【００３０】
図１および図２に示すように、写真撮影装置１は、被写体を撮影する撮影手段であるカメラ２を備える撮影側筐体３と、この撮影側筐体３におけるカメラ２と対向する位置に距離を置いて設けられている背景ユニット４と、筐体３と背景ユニット４の上部に左右一対の天井フレーム５が架設されて形成される撮影ブース６内に設けられ、被写体であるユーザの撮影ポーズの形成を補助する門型のはしご７と、撮影側筐体３の背面に隣接して設けられている編集側筐体８とを備える。
【００３１】
撮影側筐体３における背景ユニット４に対向する側の面には、カメラ２のほか、カメラ２が現在撮影している画像をユーザに対してリアルタイムで表示し、かつ、ユーザからの操作入力を受け付けるとともにデモ画面や撮影操作の手順等をユーザに対して表示するタッチパネルディスプレイ９（図３参照）と、撮影時にユーザを照射するための複数のストロボ１０（図３参照）と、コインを投入するためのコイン投入口と、撮影操作時に音声案内やＢＧＭを出力する撮影側スピーカ１１（図３参照）とが設けられている。
【００３２】
さらに、この撮影側筐体３の外部における一方の側面にはプリント取出口１２が設けられ、このプリント取出口１２からは、撮影画像と編集入力した画像とを合成した印刷用画像（編集画像を入力しなかった場合には撮影画像）が撮影側筐体３の内部に収納されたプリンタ１３（図３参照）によってシールシートなどの印刷媒体１４（図３参照）に印刷されたものが排出される。
【００３３】
背景ユニット４における撮影側筐体３に対向する側の上部には、撮影時にユーザの背景となる背景カーテン１５ａを複数種類備えたカーテンユニット１５が設けられている。それぞれの背景カーテン１５ａは、カーテンユニット１５内に巻き取られた状態で収納されており、カーテンユニット１５は、ユーザからタッチパネルディスプレイ９への操作を介して指定された背景カーテン１５ａを、背景ユニット４の壁面に沿って垂下させる。
【００３４】
一方、編集側筐体８には、撮影ブース６において撮影した画像を表示して付属の入力手段としてのタッチペン１６によりユーザからの編集情報の入力を受け付ける受付手段および表示手段としてのタブレットディスプレイ１７と、編集入力操作時に音声案内やＢＧＭを出力する編集側スピーカ１８（図３参照）とが設けられている。なお、図中においては現れていないが、編集側筐体８の反対側の面にも、タッチペン、タブレットディスプレイ、編集側スピーカが設けられており、異なる２組のユーザが、それぞれが撮影した画像に対して同時に編集画像の入力操作を行うことが可能とされている。また、図２における１９は、ユーザが編集情報の入力操作を行う編集ブースである。本実施の形態において編集情報とは、タブレットディスプレイ１７に表示された撮影画像に対する位置の指定入力、または前記撮影画像に合成する画像の入力を含む操作であるが、詳細は後述する。さらに、上記の撮影ブース６および編集ブース１９の周囲には、ユーザがそれぞれのブースにおいて操作処理を行う際に、他の利用者から画像等の内容が見えないようにするための周囲カーテンが設けられているが、図面の煩雑化を避けるため、図示は省略している。
【００３５】
上記の写真撮影装置１は、ユーザからのニーズに対応すべくさまざまな機能、例えば音声案内、ストロボ照射光の変更、編集情報の入力時に表示された撮影画像に対して合成する画像の入力機能などを備えている。これらさまざまの機能を実現するための機能構成を、図３を参照しながら説明する。図３は、写真撮影装置１の機能構成を示すブロック図である。
【００３６】
図３に示すように、写真自動販売装置１は、カメラ２による撮影およびカメラ２によって撮影した画像の転送など、撮影に関するデータ処理である撮影処理を実行する撮影用コンピュータ装置２０ａと、編集情報の入力操作時にユーザからタブレットディスプレイ１７に入力された編集情報の内容をこのディスプレイに表示するとともに、入力された編集情報に基づいて編集入力する画像の作成、描画などの編集に関する処理やプリンタ１３の印刷に関する処理を実行する画像編集用コンピュータ装置２０ｂと、動作中のコンピュータ装置２０ａ、２０ｂからの指示を受け付けて、接続されている各種装置を制御する制御基板２１とを備える。この撮影用コンピュータ装置２０ａと画像編集用コンピュータ装置２０ｂとは互いに接続され、画像データなどの授受をピアツーピアで行う。
【００３７】
この画像編集用コンピュータ装置２０ｂは、上述の通り、タブレットディスプレイ１７に入力された編集情報の内容をこのディスプレイに表示するとともに、入力された編集情報に基づいて編集入力する画像の作成、描画などの編集に関する処理を実行するので、詳細は後述するが、特許請求の範囲に記載した制御手段、領域設定手段、判定手段、描画手段および修正手段としての機能を備え、所定のデータ処理を実行することができる。
【００３８】
コンピュータ装置２０ａ、２０ｂは、ＣＰＵ(Ｃｅｎｔｒａｌ  Ｐｒｏｃｅｓｓｉｎｇ  Ｕｎｉｔ)２２ａ、２２ｂと、写真撮影装置１に所定の処理を実行させるためのプログラム、処理に必要なグラフィックデータ、音声データ、撮影画像、編集入力する画像などを記憶するハードディスクドライブ（ＨＤＤ）２３ａ、２３ｂと、プログラムの一時的な作業領域となるメモリ２４ａ、２４とを有する。
【００３９】
撮影用コンピュータ装置２０ａは、撮影ブース６での撮影処理を実行する。具体的には、撮影処理のプログラムの実行や、ユーザからタッチパネルディスプレイ９を介して受け付けた入力操作に基づく指示信号に従って制御基板２１に対して制御信号を送信する。また、撮影用コンピュータ装置２０ａは、カメラ２、タッチパネルディスプレイ９、制御基板２１と電気的に接続され、それらを制御する。
【００４０】
画像編集用コンピュータ装置２０ｂは、編集ブース１９での編集情報の入力等の処理および撮影側筐体３内に収納されているプリンタ１３の印刷処理を実行する。具体的には、画像編集用コンピュータ装置２０ｂは、タブレットディスプレイ１７に対してユーザが行うタッチペン１６による編集情報の入力操作に応じて制御信号を制御基板２１に送信する。この画像編集用コンピュータ装置２０ｂは、プリンタ１３、タブレットディスプレイ１７、制御基板２１に電気的に接続され、それらを制御する。
【００４１】
画像編集用コンピュータ装置２０ｂ内のＨＤＤ２３ｂは、後述する編集情報の入力操作時に入力される、撮影画像に合成するための文字や図形用のペン画像、スタンプ画像、フレーム画像、背景画像等を記憶する。なお、本実施の形態でいう合成とは、撮影画像と編集入力した画像との合成をいい、この合成は編集情報の入力処理後の印刷用画像の作成時に行われる処理である。
【００４２】
プリンタ１３は、撮影画像と、撮影画像に対して編集入力された画像とを合成した印刷用画像をシールシートなどの印刷媒体１４に印刷する。本実施の形態では、プリンタ１３が印刷用画像をシールシートに印刷する場合を説明するが、印刷媒体１４はシールシートに限定されず、他の印刷媒体でもよい。
【００４３】
撮影側筐体３に設けられているタッチパネルディスプレイ９は、ユーザの指等の接触を検知し、その位置に応じた指示信号を撮影用コンピュータ装置２０ａに送信する。このタッチパネルディスプレイ９は、撮影用コンピュータ装置２０ａから送信された画像、具体的には、カメラ２で撮像された画像、撮影のための案内、選択肢などをユーザに対して表示する。
【００４４】
タブレットディスプレイ１７は、付属の左右のタッチペン１６におけるペン先の接触を検知し、その位置に応じた指示信号を画像編集用コンピュータ装置２０ｂに送信する。このタブレットディスプレイ１７は、画像編集用コンピュータ装置２０ｂから送信された画像、具体的には、編集情報の入力操作時にユーザにより描画されたペン画像、スタンプ画像、フレーム画像、背景画像などの編集画像を、表示している撮影画像の上に重ねて表示する。
【００４５】
制御基板２１は、コンピュータ装置２０ａ、２０ｂの他に、ストロボ制御部２５、撮影ブース６や編集ブース１９に設けられている蛍光灯２６、サービスパネル２７、印刷中ＬＥＤ２８、印刷エラーＬＥＤ２９、コイン制御部３０、カーテンユニット１５および音声制御部３１に接続され、それぞれを所定の設定に従って制御する。
【００４６】
ストロボ制御部２５はカメラ２およびストロボ１０に接続され、カメラ２のシャッタタイミングに応じて発光するようにストロボ１０を制御する。
【００４７】
音声制御部３１は制御基板２１を介して撮影用コンピュータ装置２０ａおよび画像編集用コンピュータ装置２０ｂに接続されている。撮影用スピーカ１１は、撮影ブース６に配備され、撮影用コンピュータ装置２０ａから制御基板２１および音声制御部３１を介して与えられる指示信号に基づいて、撮影処理のための操作方法などの案内やＢＧＭなどを出力する。編集用スピーカ１８は、編集ブース１９に配備され、画像編集用コンピュータ装置２０ｂから制御基板２１および音声制御部３１を介して与えられる指示信号に基づいて、編集処理のための操作方法などの案内やＢＧＭなどを出力する。
【００４８】
以上のような構成において、ユーザは、撮影ブース６内において、はしご７を利用するなどして好みの撮影ポーズを形成して写真撮影を行い、撮影が終了すると、撮影した画像が表示される側の編集ブース１９に移動し、タッチペン１６を用いて、撮影画像が表示されるタブレットディスプレイ１７に編集情報の入力操作を行う。そして、編集情報の入力操作が終わると、ユーザは、編集時に入力した画像と撮影画像とが合成処理されて生成された印刷用画像がシールシートに印刷されて排出されるプリント取出口１２に移動し、出力されるシールシートを取得して写真撮影装置１の利用を終了する。なお、上記の撮影処理および印刷処理の詳細については、写真撮影装置の分野において既に公知であるので、本実施の形態においては説明を省略し、以下では、編集情報の入力処理など、ユーザが編集ブース１９において行う操作、およびその操作に伴って画像編集用コンピュータ装置２０ｂが行うデータ処理について詳述する。
【００４９】
撮影ブース６において所定の枚数の写真撮影を終えたユーザは、編集ブース１９における撮影した画像が表示される側に移動し、編集ブース１９において、撮影画像に対して編集情報の入力処理を行う。このとき、画像編集用コンピュータ装置２０ｂのＣＰＵ２２ｂはＨＤＤ２３ｂに記憶されたプログラムをメモリ２４ｂに読出して実行することにより、図４に示す手順で編集情報の入力から印刷にかけての処理を行う。
【００５０】
すなわち、図４に示すように、ＣＰＵ２２ｂは、撮影プレイから始めるよう促す待機画面をタブレットディスプレイ１７に表示する（Ｓ１）。そして、撮影処理が終了すると、撮影用コンピュータ装置２０ａから画像編集用コンピュータ装置２０ｂに撮影画像のデータが転送されてくるので、画像編集用コンピュータ装置２０ｂはこれを受信する（Ｓ２）。続いて、ＣＰＵ２２ｂは、編集情報の入力処理を実行する（Ｓ３）。なお、この編集情報の入力処理については、後で詳述する。
【００５１】
そして、編集情報の入力処理が終了すると、編集情報の入力処理により入力した画像と撮影画像とを合成した印刷用画像が、タブレットディスプレイ１７に並べて表示される（Ｓ４）。ユーザはタブレットディスプレイ１７に表示された合成画像から、印刷したい画像を選択する。ＣＰＵ２２ｂは、ユーザの選択に基づいて、印刷すべき画像を確定する（Ｓ５）。
【００５２】
印刷すべき画像を確定後、ＣＰＵ２２ｂは、ユーザの操作に応じて印刷レイアウトを選択し（Ｓ６）、選択された印刷レイアウトを適用して、印刷用画像をプリンタ１３で印刷媒体１４に印刷する（Ｓ７）。印刷用画像が印刷された印刷媒体１４（シールシート）は、プリント取出口１２から利用者に提供される。
【００５３】
次に、編集情報の入力処理について、図５〜図１３を参照しながら説明する。
【００５４】
まず、編集情報の入力処理時においてタブレットディスプレイ１７に表示される落書き画面について説明する。図５に示すように、この落書き画面５０には、少なくとも二人のユーザが一つのタブレットディスプレイ１７に対して左右に分かれて撮影画像に落書きを行えるように、落書き画面の中央から左右に一つずつ、撮影画像５１Ａ、５１Ｂが表示されている。タブレットディスプレイ１７の左右に配置されているタッチペン１６（図２参照）のうち、左側のタッチペン１６は撮影画像５１Ａに対する入力に用いられ、右側のタッチペン１６は撮影画像５１Ｂに対する入力に用いられる。
【００５５】
この落書き画面５０において、撮影画像５１Ａが表示されているエリアをＬ、撮影画像５１Ｂが表示されているエリアをＲとすると、このエリアＬ、Ｒのそれぞれには、撮影画像５１Ａ、５１Ｂのほか、撮影画像に対して画像を入力するペン画像、スタンプ画像、および領域を設定して（詳細は後述）その領域に所定の画像を描画するための囲み背景などの編集ツール５２と、各編集ツール５２に対応した複数のテンプレート５３と、種々の画像加工ツール５４とが表示されている。これらの撮影画像５１Ａ、５１Ｂや、編集ツール５２、テンプレート５３、画像加工ツール５４をタッチペン１６によりタッチすることで、タッチペン１６の入力は受け付けられ、タッチした項目を選択することができるが、本実施の形態でいう受付領域とは、特にこの撮影画像５１Ａ、５１Ｂが表示されている領域のことをいい、図中においては５５で示している。なお、図５においては、受付領域５５と同じ大きさの撮影画像５１Ａ、５１Ｂが表示されている。
【００５６】
次に、編集情報の入力処理について説明する。なお、以下の説明においては、エリアＬにおいての編集情報の入力処理を説明し、これと同様の入力処理を行うことができるエリアＲについては、図示および説明は省略する。
【００５７】
編集情報の入力処理は、図６に示すように、タブレットディスプレイ１７に、図５に示した落書き画像５０を表示する（Ｓ１１）。このとき、撮影画像５１Ａ、５１Ｂは受付領域５５と同じ大きさに表示される（Ｓ１２）。
【００５８】
次に囲み背景ツールが選択されたかを監視し（Ｓ１３）、選択されていない場合には、その他のツールが選択されたかを監視する（Ｓ１６）。なお、Ｓ１６以下の処理は後述する。
【００５９】
Ｓ１３において、囲み背景ツールが選択された場合には、図７に示すように、画像編集用コンピュータ装置２０ｂは、制御手段の役割として、撮影画像５１Ａを受付領域５５の中央部に、この受付領域５５よりも小さく表示する（Ｓ１４）。これにより、受付領域５５の中央部には撮影画像５１Ａが表示されている画像表示領域５６が形成され、画像表示領域５６の外周には、撮影画像５１Ａが表示されない非表示領域５７が形成される。なお、図７においては、編集ツール５２、テンプレート５３の図示は省略している。
【００６０】
次に、図６に示すように、囲み背景処理が行われ（Ｓ１５、詳細は後述）、囲み背景処理が終わると、その他のツールが選択されたかを監視する（Ｓ１６）。ここで、囲み背景ツールが選択されている状態で、その他のツール、この場合はペンツールやスタンプツールなどの囲み背景ツール以外のツールが選択されている場合には、小さく表示されている撮影画像５１Ａを、通常の大きさ、すなわち受付領域５５と同じ大きさに表示を戻す（Ｓ１７）。なお、Ｓ１３においてＮＯの判断がされてＳ１７に至っている場合には、このＳ１７の処理は無視する。
【００６１】
そして、その他のツール、例えばペンツールが選択されている場合には、公知のペンツールによる描画、スタンプツールが選択されている場合には、公知のスタンプツールによる描画を行い（Ｓ１８）、処理をＳ１３に戻す。また、Ｓ１６においてＮＯの判断がされた場合には、落書き処理を終了するかを監視し、しない場合には処理をＳ１３に戻し、制限時間の終了など、落書きを終了すると判断した場合には、そのまま落書きを終了する。その後、図４に示すメインフローに戻り、上述した印刷処理を行い、ユーザに印刷用画像が印刷されたシールシートなどの印刷媒体１４を提供する。
【００６２】
次に、囲み背景処理の詳細について説明する。Ｓ１５（図６参照）における囲み背景処理は、Ｓ１４において画像表示領域５６と非表示領域５７とが形成されている状態で行われる。囲み背景ツールは、表示されている撮影画像５１Ａに対して位置の指定入力、すなわち、タッチペン１６を用いて、撮影画像５１Ａのどの位置に、どのような形状の領域を設定するのかを指定して領域を設定し、設定された領域に、所定の背景画像を描画するためのツールである。
【００６３】
まず、図８に示すように、ユーザは、タブレットディスプレイ１７に表示されている撮影画像５１Ａに対して位置の指定入力を行う必要があるので、タッチペン１６により、受付領域５５に対して位置の指定入力を開始する。この段階では、画像編集用コンピュータ２０ｂは、タッチペン１６のペン先が受付領域５５をタッチしたかを監視している（Ｓ２１）。タッチされた場合には、タッチしているペン先が移動したかを監視する（Ｓ２２）。具体的には、所定の間隔でタッチペン１６の座標を検出し、その座標に差が生じた場合に移動したと判断する。なお、Ｓ２１において受付領域５５がタッチされない場合には、囲み背景処理を抜け、図６に示すメイン処理を繰り返す。
【００６４】
ユーザがタッチペン１６によって受付領域５５をタッチするときには、図９に示すように、撮影画像５１Ａは受付領域５５の中央部に、受付領域５５よりも小さく表示されており、この受付領域５５には、撮影画像５１Ａが表示されている画像表示領域５６と、その画像表示領域５６の外周に撮影画像５１Ａが表示されていない非表示領域５７とが形成されており、この画像表示領域５６および非表示領域５７はともにタッチペン１６による入力を受け付ける受付領域５５内であるので、ユーザは、タッチペン１６による入力の開始位置を、非表示領域５７内とすることができる。これにより、ユーザは、この非表示領域５７内にから画像表示領域５６に向けてタッチペン１６を移動させ、領域の位置の指定入力を行うことができる。
【００６５】
したがって、例えば撮影したユーザの顔が撮影画像の枠に近く、ユーザがこの顔を囲むように位置の指定入力をしたい場合であっても、ユーザの顔と撮影画像の枠とが接する位置にタッチペン１６を合わせる必要がない。これにより、ユーザは、タッチペン１６を慎重に操作するといったことから開放されるので、思い通りの入力を簡単に行うことができ、位置の指定入力を円滑に行うことができる。また、逆に、撮影画像５１Ａが表示されている画像表示領域５６よりも外側にはみ出してタッチペン１６を操作した場合であっても、そのタッチペン１６の操作が非表示領域５７内で行われているのであれば、この非表示領域５７は受付領域５５内であるので、はみ出した入力操作も受け付けられ、したがって、ユーザは、表示されている撮影画像５１Ａの端のほうにおいて、タッチペン１６の操作を慎重に行う必要が無く、位置の指定入力を容易かつスムーズに行うことができる。また、非表示領域５７が画像表示領域５６を囲むように形成されていることで、ユーザのタッチペン１６の操作が、矩形状の画像表示領域５６のどこからはみ出しても、そこには非表示領域５７が形成されているので、ユーザは、タッチペン１６の操作を容易に行うことができる。さらに、入力操作の開始位置を非表示領域５７内とすることができるので、このタッチペン１６の操作が非表示領域５７から画像表示領域５６に及んだ際には、この画像表示領域５６内でのタッチペン１６の操作は、力の抜けたごく自然な動きによりなされ、したがって、ユーザは画像表示領域５６内においては思い通りにタッチペン１６を操作することができる。このように、上記の非表示領域５７を設けることで、画像表示領域５６の周囲には、タッチペン１６による入力の開始位置、すなわち書き始めの位置を定めやすくする領域（スペース）が形成され、ユーザはタッチペン１６のペン先を撮影画像５１Ａ（画像表示領域５６）に当てた状態で位置の指定入力を開始しなくてもよくなる。
【００６６】
図８に示すように、Ｓ２２において、ペンが移動したと判断した場合には、ペンの移動先が受付領域５５よりも外側に出たかどうかを監視する（Ｓ２３）。そして、ペン先が受付領域５５よりも外側に出ている、すなわち領域の位置指定の入力が受付領域５５よりも外側にはみ出している場合には、このタッチペン１６の入力による指定位置を、画像編集用コンピュータ装置２０ｂが有する修正手段としての機能により修正する（Ｓ２４）。
【００６７】
詳細には、図１０に示すように、例えばユーザがタッチペン１６により、円形の軌跡Ｔを描いた場合に、軌跡Ｔのうち、画像表示領域５６から非表示領域５７にかけての部分は、入力位置の座標に点が描画されることで、ペンの軌跡Ｔに沿った形状で、受付領域５５内に表示される（図中の太線の円弧状部分）。しかしながら、この軌跡Ｔのうち、受付領域５５からはみ出している部分は、修正手段により修正される。具体的には、受付領域５５の右端がｘ＝ａ、下端がｙ＝ｂで定義されている場合には、軌跡Ｔのうち、ｘ＝ａよりも右側にはみ出している箇所のＸ方向成分、すなわちｘ座標はｘ＝ａの値に修正され、また、軌跡Ｔのうち、ｙ＝ｂよりも下側にはみ出している箇所のＹ方向成分、すなわちｙ座標はｙ＝ｂの値に修正される。例を挙げると、軌跡Ｔ上の任意の点Ａ１の座標（ａ１、ｂ１）は点Ａ１´（ａ、ｂ１）に、点Ａ２の座標（ａ２、ｂ２）は点Ａ２´（ａ、ｂ２）に修正され、点Ｂ１の座標（ａ３、ｂ３）、点Ｂ２の座標（ａ４、ｂ４）、および点Ｂ３の座標（ａ５、ｂ５）は、いずれも点Ｂ´（ａ、ｂ）に修正され、点Ｃ１の座標（ａ６、ｂ６）は点Ｃ１´（ａ６、ｂ）に、点Ｃ２の座標（ａ７、ｂ７）は点Ｃ２´（ａ７、ｂ）に修正される。
【００６８】
このように修正された結果、受付領域５５よりも外側にはみ出した入力情報は、受付領域５５内に、この受付領域５５の枠をなぞるように表示され（図中の太線の直線部分）、その結果、軌跡Ｔを描く入力情報は、図中の太線にて示されているような扇形状となって受付領域５５内に表示される。なお、図中の斜線部は、タッチペン１６により指定された領域と画像表示領域５６とが重なる箇所を示している。また、この修正処理は、軌跡ＴのＸ方向成分がｘ＝ａを越えたときには、このＸ方向成分のｘ座標をｘ＝ａの値に固定し、軌跡ＴのＹ方向成分がｙ＝ｂを下まわったときには、このＹ方向成分のｙ座標をｙ＝ｂの値に固定するような処理により行ってもよい。
【００６９】
これにより、ユーザは、タッチペン１６による位置の指定入力を受付領域５５の外側から画像表示領域５６に向けて行うことができ、タッチペン１６を慎重に操作せずとも、思い通りの入力を簡単に行うことができる。また、逆に、タッチペン１６の入力が受付領域５５よりも外側にはみ出した場合であっても、このはみ出した部分の入力を修正することができるので、ユーザは、タッチペン１６を慎重に扱う必要が無く、落書き作業に充てる時間を有効に活用することができる。
【００７０】
上記のようにして指定位置の修正を行うと、このタッチペン１６により指定されている位置をユーザに対して表示し（Ｓ２５）、処理をＳ２２に戻す。ペン先がタッチされている間は、このような処理を繰り返しながら、Ｓ２２にてペンの移動が止まったと判断した場合には、次に、タッチペン１６のペン先がタブレットディスプレイ１７から離れたかを監視する（Ｓ２６）。ペン先が離れていなければ処理を再びＳ２２に戻す。この監視は、所定の時間ごとに繰り返し行われている。そして、タッチペン１６が離れたことを判断すると、タッチペン１６により入力された情報に基づいて、画像編集用コンピュータ装置２０ｂが有する領域設定手段としての機能により、領域を設定する（Ｓ２７）。なお、この設定される領域５８は、図１１に示すように、タッチペン１６により囲まれた領域５８Ａを設定してもよいし、タッチペン１６により囲まれた部分以外を領域５８Ｂとして設定してもよい。以下では、設定した領域が図１１における５８Ｂである場合の説明をする。
【００７１】
領域５８の設定を終えると、次に、設定された領域内を走査し（Ｓ２８）、走査した画素位置が画像表示領域５６内であるかを、画像編集用コンピュータ装置２０ｂが有する判定手段としての機能により、判定する（Ｓ２９）。そして、走査した画素位置が画像表示領域５６内であり、画像編集用コンピュータ装置２０ｂが有する描画手段としての機能により、図１２に示すように、この画像表示領域５６に重なる領域部分に、あらかじめ設定されている画像を描画する（Ｓ３０）。このとき、図示は省略するが、画像が描画された領域に対して、ペンツール、スタンプツールなどを用いて、好みのフレーズや画像を入力することで、より個性的な写真シールを作成することができる。
【００７２】
また、Ｓ２９において、走査した画素位置が画像表示領域５６外、すなわち非表示領域５７内であれば、画像編集用コンピュータ装置２０ｂは、この非表示領域５７に重なる領域部分については描画しない。
【００７３】
そして、設定した領域５８内の走査が終了したかを判断し、終了していない場合には、処理をＳ２９に戻して他の画素に対して同様の処理を行い、走査が終了した判断した場合には、そのまま囲み背景処理を終了する。このＳ３０において描画された画像は、ペン画像、スタンプ画像などと同様、撮影画像に合成され、上述した印刷処理により、ユーザにシールシートなどの印刷媒体１４に印刷されて提供される。
【００７４】
なお、上記の実施の形態において、図１０を参照して説明した修正処理は、通常のペン画像、スタンプ画像の入力時においても利用することができる。また、このような修正処理を用いると、例えば図１３に示すように、受付領域５５の外側から位置の指定入力を軌跡Ｔ２のように開始した場合であっても、この軌跡Ｔ２における受付領域５５よりも外側の部分は、画像編集用コンピュータ装置２０ｂにより受付領域５５の枠の部分をなぞるように修正されるので、軌跡Ｔ２を描くように入力された位置の指定情報は、図中の太線にて示すように表示される。したがって、ユーザは受付領域５５よりも外側から、位置の指定入力を行うことができる。
【００７５】
また、上記においては、非表示領域５７が画像表示領域５６の外周に沿って形成されている場合を説明したが、これに限らず、例えば図１４に示すように、非表示領域５７は画像表示領域５６に対して門型に形成されていてもよい。また、このような場合、非表示領域５７における上側部分の幅は、側方部分の幅よりも太くなっているが、上側部分の幅を、側方部分の幅に合わせて狭めることで、受付領域５５に対して撮影画像５１Ａを大きく表示することができる。画像表示領域５６と非表示領域５７との関係は、要するに、画像表示領域５６が、受付領域５５内に、この受付領域５５よりも小さく表示されることで、空きスペースに非表示領域５７が形成されるのであれば、画像表示領域５６と非表示領域５７との位置関係や互いの形状は適宜でかまわない。
【００７６】
以上のように本発明によると、撮影画像に対して編集画像の入力する、いわゆる落書きをする際に、撮影画像の枠の近傍においても、タッチペンなどによる入力を簡単かつ思い通りに行うことができる。
【図面の簡単な説明】
【００７７】
【図１】本発明の実施の形態の写真撮影装置の外観構成を示す側面図である。
【図２】図１に示した編集側筐体の斜視図である
【図３】写真撮影装置の機能構成を示すブロック図である。
【図４】編集、印刷処理を説明する図である。
【図５】タブレットディスプレイに表示される落書き画面の例を示す図である。
【図６】編集情報の入力処理を説明する図である。
【図７】受付領域に、画像表示領域および非表示領域が形成されている様子の例を示す拡大図である。
【図８】囲み背景処理を説明する図である。
【図９】位置の指定入力を説明する図である。
【図１０】修正処理の例を示す図である。
【図１１】領域の設定を説明する図である。
【図１２】設定領域に画像を描画した様子を説明する図である。
【図１３】修正処理の応用例を説明する図である。
【図１４】図７に示した場合とは異なる例を示す図である。
【符号の説明】
【００７８】
２    カメラ
６    撮影ブース
１６    タッチペン
１７    タブレットディスプレイ
５５    受付領域
５６    画像表示領域
５７    非表示領域
【図１】
0004579106.tif 000002
【図２】
0004579106.tif 000003
【図３】
0004579106.tif 000004
【図４】
0004579106.tif 000005
【図５】
0004579106.tif 000006
【図６】
0004579106.tif 000007
【図７】
0004579106.tif 000008
【図８】
0004579106.tif 000009
【図９】
0004579106.tif 000010
【図１０】
0004579106.tif 000011
【図１１】
0004579106.tif 000012
【図１２】
0004579106.tif 000013
【図１３】
0004579106.tif 000014
【図１４】
0004579106.tif 000015